(57)【要約】【課題】アンカーボルトの固定に関する施工作業性を改善しつつ、アンカーボルトの固定部における高い防水性能を確保する。【解決手段】屋根１０において野地板２３の上にはアンカーボルト固定具４１及び屋根断熱材２５が載置されており、それらアンカーボルト固定具４１及び屋根断熱材２５の上には屋根防水シート３２が設けられている。アンカーボルト固定具４１にはその上面を形成する固定板部４４が設けられており、固定板部４４にはボルト挿通孔４９が形成されている。アンカーボルト４２には、そのアンカーボルト４２の外周面から径方向外側に向けて突出したボルトフランジ部６１が設けられている。アンカーボルト４２は、ボルトフランジ部６１が固定板部４４と対向する状態で屋根防水シート３２を貫通し且つボルト挿通孔４９に挿通され、アンカーボルト固定具４１に対して螺着されている。【選択図】図１
2011236710.tif 000002
【特許請求の範囲】
【請求項１】
屋根面から上方に突出した状態でアンカーボルトがアンカーボルト固定具により固定されている屋根構造であって、
前記アンカーボルト固定具は、該アンカーボルト固定具の上面を形成する上面板部を有し、野地板の上に載置されて固定されており、
前記アンカーボルトは、該アンカーボルトから径方向外側に突出したボルトフランジ部を有し、該ボルトフランジ部が前記上面板部の上方にて該上面板部に対向し、且つ前記上面板部を貫通した状態で前記アンカーボルト固定具に結合されており、
前記屋根面の防水のための第１防水シートが前記ボルトフランジ部と前記上面板部との間に挟まれた状態で設けられていることを特徴とする屋根構造。
【請求項２】
前記野地板上に設けられた屋根断熱材を備え、該屋根断熱材の上面に前記第１防水シートが敷設されている屋根構造であり、
前記アンカーボルト固定具は、前記野地板上において前記屋根断熱材に横並びに設けられ、前記屋根断熱材の厚みと略同じ高さ寸法を有していることを特徴とする請求項１に記載の屋根構造。
【請求項３】
前記上面板部の下面側には前記アンカーボルトを螺着させるための固定ナットが設けられていることを特徴とする請求項１又は２に記載の屋根構造。
【請求項４】
前記アンカーボルト固定具は、溝形鋼からなる固定具本体を有し、前記溝形鋼の溝部を上方に向けて設置されるとともにその上端部に前記上面板部が固定されていることを特徴とする請求項１乃至３のいずれか１項に記載の屋根構造。
【請求項５】
前記アンカーボルト固定具において前記上面板部の下方には有底状の水回収容器が設けられていることを特徴とする請求項１乃至４のいずれか１項に記載の屋根構造。
【請求項６】
前記ボルトフランジ部の下面側には、該ボルトフランジ部のフランジ面と同じ大きさの第２防水シートが設けられ、
前記第１防水シートと前記第２防水シートとが、前記ボルトフランジ部と前記上面板部との間に重ねた状態で配設されていることを特徴とする請求項１乃至５のいずれか１項に記載の屋根構造。
【請求項７】
前記アンカーボルト固定具は、前記野地板に当接する当接部においてビス固定されており、
前記野地板と前記当接部との間にはビス孔を防水するための第３防水シートが設けられていることを特徴とする請求項１乃至３のいずれか１項に記載の屋根構造。
【請求項８】
前記第１防水シートは、上下二層となる上側シート及び下側シートからなり、
前記アンカーボルト固定具の設置部分において前記上側シートが前記ボルトフランジ部と前記上面板部との間に位置し、かつ、前記下側シートが前記野地板と前記アンカーボルト固定具との間に位置するようにして、前記第１防水シートが設けられていることを特徴とする請求項１乃至７のいずれか１項に記載の屋根構造。
【発明の詳細な説明】
【技術分野】
【０００１】
本発明は、アンカーボルトを固定する屋根構造に関するものである。
【背景技術】
【０００２】
住宅等の建物において屋根に太陽光パネル等の建物設備が設置されている場合、屋根には、建物設備を固定するためのアンカーボルトが設けられていることがある。例えば特許文献１には、屋根面となる面材が枠体の上面に取り付けられた屋根において、面材の下方において受け金物が面材に取り付けられており、アンカーボルトがその上部を屋根面から上方へ突出させた状態で受け金物に螺着されている。この構成では、屋根の面材に挿通孔が形成されており、その挿通孔に接続部材を挿通することでその接続部材の上部を屋根面から上方へ突出させることが可能となっている。
【先行技術文献】
【特許文献】
【０００３】
【特許文献１】特開２００８−１９０２３５号公報
【発明の概要】
【発明が解決しようとする課題】
【０００４】
しかしながら、アンカーボルトを挿通させるための挿通孔が面材としての野地板に設けられていると、挿通孔を通じて水が野地板より下方に浸入することが懸念される。したがって、受け部材としてのアンカーボルト固定具によりアンカーボルトを固定する構成に関して改善の余地がある。
【０００５】
本発明は、アンカーボルトの固定に関する施工作業性を改善しつつ、アンカーボルトの固定部における高い防水性能を確保することを主たる目的とする。
【課題を解決するための手段】
【０００６】
上記課題を解決するために、第１の発明の屋根構造は、屋根面から上方に突出した状態でアンカーボルトがアンカーボルト固定具により固定されている屋根構造であって、前記アンカーボルト固定具は、該アンカーボルト固定具の上面を形成する上面板部を有し、野地板の上に載置されて固定されており、前記アンカーボルトは、該アンカーボルトから径方向外側に突出したボルトフランジ部を有し、該ボルトフランジ部が前記上面板部の上方にて該上面板部に対向し、且つ前記上面板部を貫通した状態で前記アンカーボルト固定具に結合されており、前記屋根面の防水のための第１防水シートが前記ボルトフランジ部と前記上面板部との間に挟まれた状態で設けられていることを特徴とする。
【０００７】
第１の発明によれば、アンカーボルト固定具が野地板の上に載置されており、アンカーボルト固定具に対してアンカーボルトが結合されている。この場合、アンカーボルト固定具の固定対象は野地板等の屋根下地材となっており、アンカーボルト固定具を固定するために野地板に切り欠き部を形成する等の作業が不要となる。また、第１防水シートは、ボルトフランジ部の下面と上面板部の上面との両面に挟まれた状態で配設されており、アンカーボルトが第１防水シート及びアンカーボルト固定具の上面板部を貫通して設けられた構成であってもそれら貫通部分の防水性が確保されている。
【０００８】
以上の結果、アンカーボルトの固定に関する施工作業性を改善しつつ、アンカーボルトの固定部における高い防水性能を確保することができる。
【０００９】
第２の発明では、前記野地板上に設けられた屋根断熱材を備え、該屋根断熱材の上面に前記第１防水シートが敷設されている屋根構造であり、前記アンカーボルト固定具は、前記野地板上において前記屋根断熱材に横並びに設けられ、前記屋根断熱材の厚みと略同じ高さ寸法を有している。
【００１０】
第２の発明によれば、アンカーボルト固定具の高さ寸法と屋根断熱材の厚み寸法とがほぼ同じになっているため、屋根断熱材の上面とアンカーボルト固定具の上面とが略同じ高さ位置とすることが容易となる。したがって、第１防水シートを段差なく敷設することが容易となる。
【００１１】
第３の発明では、前記上面板部の下面側には前記アンカーボルトを螺着させるための固定ナットが設けられている。
【００１２】
第３の発明によれば、アンカーボルトは、フランジ部が第１防水シートを挟んで上面板部に対向配置された状態で、かつ上面板部の下面側に固定されている固定ナットに螺着されている。このため、防水性を確保するのと同時にアンカーボルト固定具に対するアンカーボルトの結合安定性を確保できる。なお、固定ナットは例えばウェルドナットにより構成されている。
【００１３】
第４の発明では、前記アンカーボルト固定具は、溝形鋼からなる固定具本体を有し、前記溝形鋼の溝部を上方に向けて設置されるとともにその上端部に前記上面板部が固定されている。
【００１４】
第４の発明によれば、溝形鋼と板材との組み合わせにより容易にアンカーボルト固定具を構成できる。また、アンカーボルト固定具の高さ寸法は、溝形鋼のサイズ、又は上面板部の厚さ寸法（鋼材厚さ）を変更することで容易に調整可能となる。
【００１５】
第５の発明では、前記アンカーボルト固定具において前記上面板部の下方には有底状の水回収容器が設けられている。
【００１６】
第５の発明によれば、上面板部においてアンカーボルトを挿通させるための挿通孔を通じて水が浸入しても、その水を水回収容器に回収することが可能となる。これにより、野地板まで浸水が及ぶことを抑制できる。
【００１７】
第６の発明では、前記ボルトフランジ部の下面側には、該ボルトフランジ部のフランジ面と同じ大きさの第２防水シートが設けられ、前記第１防水シートと前記第２防水シートとが、前記ボルトフランジ部と前記上面板部との間に重ねた状態で配設されている。
【００１８】
第６の発明によれば、第１防水シート及び第２防水シートの両方がボルトフランジ部と上面板部との間に設けられているため、ボルトフランジ部と上面板部との間の離間寸法を適宜調整することができる。これにより、ボルトフランジ部や上面板部に溶接ビードなどにより凹凸が存在していても、その凹凸によってボルトフランジ部と上面板部との間の防水性能が低下するということを回避できる。
【００１９】
第７の発明では、前記アンカーボルト固定具は、前記野地板に当接する当接部においてビス固定されており、前記野地板と前記当接部との間にはビス孔を防水するための第３防水シートが設けられている。
【００２０】
第７の発明によれば、アンカーボルト固定具が野地板にビス固定されている構成において、アンカーボルト固定具のビス孔から野地板側に水が浸入することを抑制できる。
【００２１】
第８の発明では、前記第１防水シートは、上下二層となる上側シート及び下側シートからなり、前記アンカーボルト固定具の設置部分において前記上側シートが前記ボルトフランジ部と前記上面板部との間に位置し、かつ、前記下側シートが前記野地板と前記アンカーボルト固定具との間に位置するようにして、前記第１防水シートが設けられている。
【００２２】
第８の発明によれば、アンカーボルト固定具が上側シートと下側シートとに上下から囲まれた状態となる。そのため、アンカーボルト固定具に対して外部からの水が浸入しにくい構成となり、アンカーボルト固定具等の腐食等を抑制できる。
【図面の簡単な説明】
【００２３】
【図１】本実施形態における屋根のアンカーボルト周辺の構成を示す断面図。
【図２】アンカーボルト周辺の構成を示す斜視図。
【図３】アンカーボルト周辺の構成を示す分解断面図。
【図４】アンカーボルト設置に関する作業手順について説明するための図。
【図５】別の屋根においてアンカボルト周辺の構成を示す分解断面図。
【発明を実施するための形態】
【００２４】
以下、本発明を具体化した一実施形態について図面を参照しつつ説明する。本実施形態では、本発明を屋根が陸屋根（フラット屋根）となっている建物にて具体化している。この屋根にはアンカーボルト固定具により固定されたアンカーボルトが設けられており、屋根においては設置された太陽光発電装置等の建物設備がアンカーボルトにより固定されている。図１は屋根におけるアンカーボルト周辺の構成を示す断面図、図２はアンカーボルト周辺の構成を示す斜視図、図３はアンカーボルト周辺の構成を示す分解断面図である。図２においては、（ａ）にアンカーボルト周辺の分解斜視図を示し、（ｂ）にアンカーボルト固定具の斜視図を示す。
【００２５】
図１〜図３に示すように、住宅等の建物において屋根１０は、屋根フレームとしての屋根小梁２１と、屋根小梁２１の上に載置された野地板２３とを含んで構成されている。屋根小梁２１は角形鋼板により形成されており、水平方向に延びた横架材となっている。野地板２３は合板等により形成されており、屋根小梁２１に沿って延びた板材となっている。
【００２６】
なお、建物において屋根小梁２１は構造体としての大梁に結合されている。具体的には、建物は複数の建物ユニットが連結されて構築されたユニット式建物となっており、建物ユニットは複数の柱とそれら柱を連結する大梁とを有している。柱の上端部には大梁としての天井大梁が接続されており、屋根小梁２１は、小梁連結部材としてのブラケットを介して天井大梁に接続されている。
【００２７】
野地板２３の上には屋根断熱材２５が載置されている。屋根断熱材２５は、グラスウールやポリウレタン、樹脂発泡体により板状に形成されており、野地板２３の上面に沿って延びている。屋根断熱材２５の上には、絶縁シート３１を介して屋根防水シート３２が設けられている。屋根防水シート３２は、塩化ビニル等の耐水性を有する材料により形成されており、柔軟性及び不燃性を有している。屋根防水シート３２は屋根全体において屋根断熱材２５の上面に沿って延びており、屋根葺き材となっている。屋根防水シート３２は長尺状のシート材となっており、複数の屋根防水シート３２が敷設されることで屋根１０の全面シート防水が施されている。
【００２８】
絶縁シート３１は屋根断熱材２５と屋根防水シート３２との間に設けられている。絶縁シート３１は屋根断熱材２５と屋根防水シート３２との境界部に沿って延びており、その境界部において屋根断熱材２５と屋根防水シート３２とは絶縁シート３１を挟んで互いに離間している。絶縁シート３１は、屋根断熱材２５と継続的に接触していても化学的な反応を起こさないナイロン樹脂材料等の材料により形成されており、フィルム材となっている。したがって、絶縁シート３１が設けられていることにより、屋根断熱材２５と屋根防水シート３２とが継続的に接触することでそれら屋根断熱材２５と屋根防水シート３２とが科学的な反応を起こすということを回避できる。また、絶縁シート３１には、不織布等の耐水性を有する材料により形成された防水層が設けられている。
【００２９】
本実施形態では、野地板２３の上にアンカーボルト固定具４１が載置されており、そのアンカーボルト固定具４１によりアンカーボルト４２が固定されている。まず、アンカーボルト固定具４１に関連した説明を行う。
【００３０】
アンカーボルト固定具４１は、屋根小梁２１の上方において絶縁シート３１を介して野地板２３の上に載置されている。アンカーボルト固定具４１の設置場所において屋根断熱材２５はアンカーボルト固定具４１と野地板２３との間に存在しておらず、アンカーボルト固定具４１の周囲に配置されている。アンカーボルト固定具４１の高さ寸法は屋根断熱材２５の厚み寸法と略同一になっており、アンカーボルト固定具４１の上面は屋根断熱材２５の上面とほぼ同じ高さに位置している。
【００３１】
なお、アンカーボルト固定具４１の高さ寸法は、固定具本体４３を構成する溝形鋼のサイズ（高さ寸法）と、固定板部４４を構成する板状鋼材の厚み寸法とにより規定されている。したがって、溝形鋼のサイズや板状鋼材の厚み寸法を変更することにより、アンカーボルト固定具４１の高さ寸法を屋根断熱材の高さ寸法と略同一にすることができる。
【００３２】
絶縁シート３１は、屋根断熱材２５の上からアンカーボルト固定具４１の下に回り込んだ状態となっており、野地板２３の上方において、屋根断熱材２５の上からアンカーボルト固定具４１の周面に沿って連続的に延びている。この場合、アンカーボルト固定具４１の周面側から野地板２３側への水の浸入が絶縁シート３１により防止されている。
【００３３】
なお、屋根防水シート３２は上側シートに相当し、絶縁シート３１は下側シートに相当する。また、屋根防水シート３２及び絶縁シート３１により第１防水シートが構成されている。
【００３４】
アンカーボルト固定具４１は、野地板２３と連結された固定具本体４３と、固定具本体４３により支持されている固定板部４４と、アンカーボルト４２が螺着される固定ナット４５とを有している。固定具本体４３は、溝部を有する溝形鋼としてのＣ形鋼（リップ溝形鋼）により形成されており、平面視略矩形状となる程度の長さとなっている。固定具本体４３は、溝部開放側を上方に向けて設置されており、固定具本体４３においてウェブ４６が絶縁シート３１を挟んで野地板２３と対向し、フランジ４７がウェブ４６を挟んだ両側にて上方に向けて起立している。各フランジ４７の開放側先端には開放内側に向けて水平方向に延びるリップ４８がそれぞれ設けられている。
【００３５】
固定板部４４は各リップ４８の上に載置されており、アンカーボルト固定具４１の上面を形成する上面板部となっている。固定板部４４は鋼鉄材料により形成されており、溶接等により各リップ４８とそれぞれ結合され、それによって固定具本体４３に対して取り付け固定されている。固定板部４４は各リップ４８に架け渡された状態となっており、水平方向に延びている。固定板部４４は矩形状に形成されており、平面視で固定具本体４３と同じ大きさ及び形状となっている。固定板部４４には、アンカーボルト４２が挿通されるボルト挿通孔４９が設けられている。ボルト挿通孔４９は固定板部４４の略中央部に配置されており、固定板部４４をその厚み方向（上下方向）に貫通している。
【００３６】
固定ナット４５は、固定板部４４の下面に溶接等により固定されており、ウェルドナットとなっている。この場合、固定ナット４５は固定具本体４３のウェブ４６から上方に離間しており、固定ナット４５とウェブ４６との間の空間がアンカーボルト４２の先端を収容するねじ込み空間となっている。
【００３７】
アンカーボルト固定具４１は、連結部材としてのネジ部材５１により野地板２３を介して屋根小梁２１に固定されている。具体的には、図２に示すように、アンカーボルト固定具４１の固定具本体４３には、平面視で固定板部４４よりも側方へ延出した延出部５３が設けられている。ネジ部材５１はタッピングネジとなっており、延出部５３のネジ孔５４を通じて野地板２３及び屋根小梁２１に螺着されている。
【００３８】
固定具本体４３において、延出部５３のネジ孔５４の下方には第３防水シートとしてのネジ用防水材５５が設けられている（図２（ｂ）参照）。ネジ用防水材５５は、不織布等の耐水性を有する材料により板状に形成されており、柔軟性を有している。ネジ用防水材５５は延出部５３と野地板２３との間においてネジ部材５１の螺着に伴って押しつぶされ、固定具本体４３の溝部内からネジ孔５４を通じて野地板２３側に水が浸入することを抑制している。
【００３９】
次に、アンカーボルト４２に関連した説明を行う。
【００４０】
アンカーボルト４２は、外周面の全体に雄ネジ部が形成された全ネジボルトとなっている。アンカーボルト４２において長手方向の中間位置には、外周面から径方向外側に鍔状に突出したボルトフランジ部６１が設けられており、ボルトフランジ部６１は、アンカーボルト４２の長手方向と直交する方向に延びた板部となっている。
【００４１】
ボルトフランジ部６１は鋼鉄材料により板状に形成されており、溶接によりアンカーボルト４２と結合されている。アンカーボルト４２はボルトフランジ部６１の略中央部を貫通しており、アンカーボルト４２とボルトフランジ部６１との境界部において屋根防水シート３２側には溶接ビード６２が形成されている（図３参照）。溶接ビード６２はアンカーボルト４２の外周面に沿って一周しており、アンカーボルト４２とボルトフランジ部６１との境界からボルトフランジ部６１の下方へ水が浸入することが防止されている。
【００４２】
ボルトフランジ部６１と屋根防水シート３２との間には、第２防水シートとしてのボルト用防水材６５が設けられている。ボルト用防水材６５は、屋根防水シート３２と同様に、塩化ビニル等の防水性を有する材料によりシート状に形成されており、柔軟性及び不燃性を有している。ボルト用防水材６５は、平面視においてボルトフランジ部６１とほぼ同じ形状及び大きさとなっている。ボルト用防水材６５には、アンカーボルト４２が挿通される孔が設けられており、その孔はボルト用防水材６５を厚み方向に貫通している（図２（ａ）参照）。ボルト用防水材６５は、ボルトフランジ部６１の溶接ビード６２側の板面に複数取り付けられており、それぞれボルトフランジ部６１の板面に沿って延びている。
【００４３】
なお、アンカーボルト４２、ボルトフランジ部６１、ボルト用防水材６５は１つのアセンブリとして一体的に構成されており、そのアセンブリにより防水アンカー６６が構成されている。
【００４４】
アンカーボルト４２は、上方から固定板部４４のボルト挿通孔４９に挿通されており、さらに固定ナット４５に対して螺着されている。この場合、ボルトフランジ部６１と固定板部４４との間においては、アンカーボルト４２の螺着により屋根防水シート３２及びボルト用防水材６５が重なった状態で且つ圧縮状態で介在し、屋根防水シート３２の上面やボルトフランジ部６１の下面に水がボルト挿通孔４９まで浸入することが防止されている。
【００４５】
ところで、ユニット式建物においては、工場において建物ユニットが製造され、その建物ユニットがトラック等の搬送手段により建築現場に搬送され、そして、建築現場において建物ユニットの設置作業が行われることによりユニット式建物が構築される。ここでは、建物が構築されるまでの屋根に関する作業手順について図４を参照しつつ説明する。図４はアンカーボルト４２設置に関する作業手順について説明するための図である。
【００４６】
まず、工場で製造された建物ユニットは、図４（ａ）に示すように、野地板２３の上に屋根断熱材２５及び絶縁シート３１が取り付けられ、さらにアンカーボルト固定具４１が屋根小梁２１に対して取り付けられた状態となっており、この状態の建物ユニットが建築現場に搬送される。
【００４７】
そして、建築現場において設置された建物ユニットにおいては、図４（ｂ）に示すように、屋根防水シート３２が絶縁シート３１及びアンカーボルト固定具４１の上に取り付けられ、さらに、屋根防水シート３２の上から防水アンカー６６がアンカーボルト固定具４１に対して取り付けられる。この場合、防水アンカー６６がアンカーボルト固定具４１に螺着されることにより、ボルト挿通孔４９に対する防水性能が確保されるため、ボルト用防水材６５を屋根防水シート３２に溶着させる作業を行う必要がない。
【００４８】
以上詳述した本実施形態によれば、以下の優れた効果が得られる。
【００４９】
アンカーボルト固定具４１が野地板２３の上に載置されており、そのアンカーボルト固定具４１はネジ部材５１により野地板２３を介して屋根小梁２１に対して固定されている。この場合、アンカーボルト４２を固定している部材が屋根小梁２１及び野地板２３の両方となっているため、アンカーボルト４２を屋根小梁２１に直接的に固定するために野地板２３に切り欠き部を形成するといった作業が不要となる。また、アンカーボルト固定具４１には、固定ナット４５に螺着されたアンカーボルト４２の先端を収納するねじ込み空間が設けられているため、アンカーボルト固定具４１が野地板２３の上に載置されている構成であっても、固定ナット４５にアンカーボルト４２を確実に螺着させることができる。
【００５０】
アンカーボルト固定具４１が野地板２３の上に載置された構成において、以下のような防水構造が付与されているため、アンカーボルト固定具４１の設置場所において水が屋上側から野地板２３側に浸入することを抑制できる。
【００５１】
・ボルトフランジ部６１はアンカーボルト４２の外周面から径方向外側に突出しており、アンカーボルト４２がボルトフランジ部６１を貫通している部分には、アンカーボルト４２の外周面の全体に溶接ビード６２が設けられている。このため、その貫通部分を通じて水がボルトフランジ部６１の下方へ浸入することを防止できる。
【００５２】
・アンカーボルト４２がアンカーボルト固定具４１に螺着された状態では、ボルトフランジ部６１とアンカーボルト固定具４１の固定板部４４との間において、屋根防水シート３２及びボルト用防水材６５が圧縮状態でそれらボルトフランジ部６１及び固定板部４４に密着している。このため、ボルトフランジ部６１の周縁部側からボルトフランジ部６１と固定板部４４との間に水が浸入することを抑制できる。これにより、アンカーボルト４２が屋根防水シート３２を貫通している部分に水が浸入すること、及びその貫通部分を通じて水が屋根防水シート３２より下方に浸入することを抑制できる。
・屋根防水シート３２及びボルト用防水材６５は溶接ビード６２側に設けられているため、それら屋根防水シート３２及びボルト用防水材６５の圧縮状態が溶接ビード６２によりさらに高められている。このため、アンカーボルト４２の貫通部分についての防水性能をより一層高めることができる。なお、ボルト用防水材６５が複数設けられていることにより屋根防水シート３２及びボルト用防水材６５の圧縮率が大きくされているため、ボルトフランジ部６１と固定板部４４との間に溶接ビード６２が存在していても、その溶接ビード６２が支障となってボルトフランジ部６１と固定板部４４との間に水の浸入可能な隙間ができてしまうということを回避できる。
【００５３】
・屋根防水シート３２の下方において、耐水性を有する絶縁シート３１が屋根断熱材２５の上からアンカーボルト固定具４１の下に回り込むように設けられている。このため、仮にアンカーボルト固定具４１の周面に水が存在していても、その水が絶縁シート３１よりも野地板２３側へ侵入することを抑制できる。
・屋根防水シート３２の下方において、ネジ部材５１がアンカーボルト固定具４１、絶縁シート３１及び野地板２３を貫通して屋根小梁２１に螺着されている構成において、ネジ部材５１の貫通部分においてアンカーボルト固定具４１と野地板２３との間にはネジ用防水材５５が設けられている。この場合、ネジ用防水材５５はアンカーボルト固定具４１と野地板２３との間に挟まれることにより、それらアンカーボルト固定具４１と野地板２３との間の隙間をなくしつつ、ネジ部材５１の外周面に密着している。このため、アンカーボルト固定具４１と絶縁シート３１との間に水が浸入すること、及びアンカーボルト固定具４１のネジ孔５４を通じて水が野地板２３側に浸入することを抑制できる。
【００５４】
以上の結果、アンカーボルト４２の固定に関する施工作業性を改善しつつ、アンカーボルト４２の固定部における高い防水性能を確保することができる。
【００５５】
アンカーボルト固定具４１において、固定ナット４５が固定板部４４に溶接等により固定されているため、アンカーボルト４２を固定ナット４５に螺着する際に、固定ナット４５をスパナ等の回転締め付け工具により挟持する作業を行わなくても螺着作業を行うことができる。したがって、アンカーボルト固定具４１にアンカーボルト４２を取り付ける作業の容易化を図ることができる。
【００５６】
アンカーボルト固定具４１の上面と屋根断熱材２５の上面とがほぼ同じ高さレベルになっているため、屋根防水シート３２により形成される屋根面が平坦面である屋根１０について、それらアンカーボルト固定具４１及び屋根断熱材２５の上に屋根防水シート３２を敷設する作業を容易化することが可能となる。
【００５７】
ボルトフランジ部６１とアンカーボルト固定具４１との間に挟まれている屋根防水シート３２及びボルト用防水材６５について、ボルト用防水材６５は屋根防水シート３２よりボルトフランジ部６１側に設けられているため、アンカーボルト４２とボルトフランジ部６１とボルト用防水材６５とによりユニットとしての防水アンカー６６を形成することができる。
【００５８】
ボルトフランジ部６１とアンカーボルト固定具４１との間に屋根防水シート３２及びボルト用防水材６５が挟まれることで、アンカーボルト４２が屋根防水シート３２を貫通している部分に対して防水効果が付与されている。このため、ボルトフランジ部６１の周縁部からの水の浸入を防ぐためにその周縁部に対して上から防水シートを取り付けるとともにその防水シートを屋根防水シート３２に溶着させるという必要がない。したがって、建築現場においてアンカーボルト４２の設置作業に関する作業負担を低減することができる。
【００５９】
アンカーボルト固定具４１の設置位置において、屋根防水シート３２はアンカーボルト固定具４１の上方においてボルトフランジ部６１と固定板部４４との間に配置されており、絶縁シート３１はアンカーボルト固定具４１の下方において固定具本体４３と野地板２３との間に配置されている。この場合、アンカーボルト固定具４１は屋根防水シート３２及び絶縁シート３１により上下から囲まれた状態となっているため、アンカーボルト固定具４１に外部から水が浸入しにくくなっている。これにより、アンカーボルト固定具４１やネジ部材５１等の腐食の発生を抑制できる。
【００６０】
（他の実施形態）
本発明は上記実施形態の記載内容に限定されず、例えば次のように実施してもよい。
【００６１】
（１）図５に示すように、絶縁シート３１はアンカーボルト固定具４１の上に設けられてもよい。この場合、絶縁シート３１は耐水性を有していなくてもよい。また、この構成では、工場において絶縁シート３１を屋根断熱材２５及びアンカーボルト固定具４１に取り付ける作業を行うのではなく、その取り付け作業を建築現場にて行うことが可能となる。この場合、建物ユニットを建築現場に搬送する際に絶縁シート３１が破けたり剥がれたりするという不都合を回避できるため、建物ユニットの搬送作業の容易化を図ることが可能となる。
【００６２】
また、アンカーボルト固定具４１において固定具本体４３の溝部内には、上方に向けて開放された箱状の防水カップ７１が固定板部４４のボルト挿通孔４９の下方に設けられている。この構成によれば、屋根防水シート３２の下方においてアンカーボルト４２を伝わって水が流下した場合、アンカーボルト４２の下端から流れ落ちた水が水回収容器としての防水カップ７１内に貯留される。このため、仮にアンカーボルト４２を伝わって固定具本体４３の溝部内に水が浸入しても、その水が防水カップ７１から外側へ流れ出すことを抑制できる。つまり、野地板２３側に水が浸入することを抑制できる。
【００６３】
（２）アンカーボルト固定具４１において、固定ナット４５は固定板部４４に固定されずに、アンカーボルト４２の固定作業に際して固定板部４４の下側に配置されてもよい。
【００６４】
固定板部４４に対してアンカーボルト４２が螺着される構成としてもよい。例えば、固定板部４４のボルト挿通孔４９の内周面に雌ネジ部が形成され、その雌ネジ部にアンカーボルト４２の雄ネジ部が螺合される構成とする。この場合、アンカーボルト固定具４１の部品点数を低減することができる。ここでは、固定板部４４が被螺着部材に相当し、固定具本体４３が位置保持部に相当する。
【００６５】
また、この場合、被螺着部材としての固定板部４４は、固定具本体４３のフランジ４７や野地板２３に載置されていてもよい。この場合でも、固定板部４４がネジ部材５１等により野地板２３を介して屋根小梁２１に固定されていれば、固定板部４４にアンカーボルト４２が螺着されることでアンカーボルト４２を固定することができる。
【００６６】
（３）アンカーボルト固定具４１において、固定具本体４３はリップ無しの溝形鋼により形成されていてもよく、他の形鋼により形成されていてもよい。つまり、固定具本体４３は、固定板部４４及び固定ナット４５を野地板２３から上方に離間させて位置保持する構成であればよい。
【符号の説明】
【００６７】
１０…屋根、２３…野地板、２５…屋根断熱材、３１…第１防水シートを構成する下側シートとしての絶縁シート、３２…第１シートを構成する上側シートとしての屋根防水シート、４１…アンカーボルト固定具、４２…アンカーボルト、４３…固定具本体、４４…上面板部としての固定板部、４５…固定ナット、５３…当接部としての延出部、５４…ビス孔としてのネジ孔、５５…第３防水シートとしてのネジ用防水材、６１…ボルトフランジ部、６５…第２防水シートとしてのボルト用防水材、７１…水回収容器としての防水カップ。
【図１】
2011236710.tif 000003
【図２】
2011236710.tif 000004
【図３】
2011236710.tif 000005
【図４】
2011236710.tif 000006
【図５】
2011236710.tif 000007